(57)【特許請求の範囲】
【請求項１】
熱媒と熱交換対象との間で熱交換を行う熱交換部と、
前記熱媒が液相の状態で収容される液相空間と、前記熱媒が気相の状態で収容される気相空間と、が構成される相変化部と、
前記相変化部から前記熱交換部へ前記熱媒を移動させる第一流路と、
前記相変化部において前記液相空間と前記気相空間とを隔て、複数の成分を有する前記熱媒のうち凝固点が高い成分が通過可能な分子ふるい膜と、
を有し、
前記相変化部に流入する液相の前記熱媒の温度における飽和蒸気圧が前記気相空間における気相の前記熱媒の圧力よりも低いときに、前記気相空間における気相の前記熱媒の一部が前記分子ふるい膜を通過して前記液相空間において液化し、前記飽和蒸気圧が前記気相空間における気相の前記熱媒の圧力よりも高いときに、前記液相空間における液相の前記熱媒の一部が気化して前記分子ふるい膜を通過して前記気相空間に移動する熱交換器。
【請求項２】
前記熱媒が排出される熱媒排出部を有する請求項１に記載の熱交換器。
【請求項３】
前記熱媒を供給する熱媒供給部を有する請求項１又は請求項２に記載の熱交換器。
【請求項４】
熱媒と熱交換対象との間で熱交換を行う熱交換部と、
前記熱媒が液相の状態で収容される液相空間と、前記熱媒が気相の状態で収容される気相空間と、が構成される相変化部と、
前記相変化部から前記熱交換部へ前記熱媒を移動させる第一流路と、
前記相変化部において前記液相空間と前記気相空間とを隔て、複数の成分を有する前記熱媒のうち凝固点が高い成分が通過可能な分子ふるい膜と、
前記相変化部の前記気相空間と接続されており、前記気相空間から気相の前記熱媒が排出される熱媒排出部と、
前記相変化部の前記気相空間と接続されており、前記気相空間に気相の前記熱媒を供給する熱媒供給部と、
を有し、
前記相変化部に流入する液相の前記熱媒の温度における飽和蒸気圧と前記気相空間における気相の前記熱媒の圧力とが異なるように設定されている熱交換器。
【請求項５】
前記分子ふるい膜を前記液相の前記熱媒が通過する圧力損失ΔＰ１と、前記液相空間を前記液相の前記熱媒が通過する圧力損失ΔＰ２との間に、ΔＰ１＞ΔＰ２の関係がある請求項１〜請求項４のいずれか１項に記載の熱交換器。
【請求項６】
前記熱交換部から前記相変化部へ前記熱媒を戻す第二流路を有する請求項１〜請求項５のいずれか１項に記載の熱交換器。
【請求項７】
前記熱交換部による前記熱交換が顕熱の交換である請求項１〜請求項６のいずれか１項に記載の熱交換器。
【請求項８】
前記気相空間と接続され気相の前記熱媒の吸着又は脱着を行う反応器を有する請求項１〜請求項７のいずれか１項に記載の熱交換器。
【請求項９】
請求項１〜請求項８のいずれか１項に記載の熱交換器と、
前記気相空間と接続され気相の前記熱媒を蓄熱材に反応させて蓄熱する蓄熱器と、
を有する蓄熱システム。
【発明の詳細な説明】
【技術分野】
【０００１】
本発明は、熱交換器及び蓄熱システムに関する。
【背景技術】
【０００２】
特許文献１には、蒸発部の外表面に付着させた冷媒液を蒸発させることで、流路を流れる熱媒の温度を低下させる吸着式冷凍機が記載されている。この吸着式冷凍機では、温度が低下された（冷却された）熱媒は、熱交換器に流入して、室内の空気を冷却する。
【先行技術文献】
【特許文献】
【０００３】
【特許文献１】特開２０１２−１１２６０２号公報
【発明の概要】
【発明が解決しようとする課題】
【０００４】
特許文献１に記載の構成では、冷媒液の蒸発により熱媒との間で熱交換を行い、さらに、熱交換器においても、温度が低下された熱媒と空気との熱交換を行う。このように、２回の熱交換を行うと、熱交換の効率が低くなることがある。
【０００５】
熱交換の効率を高めるためには、たとえば、熱媒として、その一部が気化することで、液体として残った熱媒自体の温度を下げるような熱媒を用いることが考えられる。この構成では、冷媒液を用いないので、全体として熱交換の効率が高くなる。
【０００６】
しかし、たとえば外部環境が低温である場合等には、熱媒自体が温度低下によって凍結することがある。
【０００７】
本願の目的は、熱交換器及び蓄熱システムにおいて熱交換の効率を高めると共に、熱媒の凍結を抑制することである。
【課題を解決するための手段】
【０００８】
第一の態様では、熱媒と熱交換対象との間で熱交換を行う熱交換部と、前記熱媒が液相の状態で収容される液相空間と、前記熱媒が気相の状態で収容される気相空間と、が構成される相変化部と、前記相変化部から前記熱交換部へ前記熱媒を移動させる第一流路と、前記相変化部において前記液相空間と前記気相空間とを隔て、複数の成分を有する前記熱媒のうち凝固点が高い成分が通過可能な分子ふるい膜と、を有し、前記相変化部に流入する液相の前記熱媒の温度における飽和蒸気圧と前記気相空間における気相の前記熱媒の圧力とが異なるように設定されている。
【０００９】
この熱交換器では、相変化部に液相空間と気相空間とが構成されている。液相空間に収容された液相の熱媒の一部が気化すると、液相の熱媒の温度が低下する。また、これとは逆に、気相空間に収容された気相の熱媒が液化すると、液相の熱媒の温度が上昇する。
【００１０】
このようにして相変化部において温度が変化された熱媒は、第一流路により、相変化部から熱交換部に送られる。そして、熱交換部では、熱媒と熱交換対象との間で熱交換が行われる。
【００１１】
このように、熱媒は、相変化により潜熱の出入りを行わせる媒体と、熱交換対象との間で熱交換を行う媒体を兼ねている。実質的な熱交換は熱交換部における１回で済むので、熱交換器における熱交換の効率を高めると共に、熱交換器の構造の簡素化を図ることができる。
【００１２】
相変化部は、分子ふるい膜により液相空間と気相空間とが隔てられる。分子ふるい膜は、複数の成分を有する熱媒のうち、凝固点が高い成分が通過可能である。すなわち、液相の熱媒において凝固点が低い成分は、分子ふるい膜を通過して気相になることが抑制される。液相の熱媒には、凝固点が低い成分が多く存在するので、液相の熱媒の温度が低下しても、凍結が抑制される。
【００１３】
しかも、分子ふるい膜により、相変化部を液相空間と気相空間とに確実に区画することができる。相変化部において、気相と液相との分離（気液分離）がなされるので、液相の熱媒を効率よく送ることができる。
【００１４】
第二の態様では、第一の態様において、前記分子ふるい膜を前記液相の前記熱媒が通過する圧力損失ΔＰ１と、前記液相空間を前記液相の前記熱媒が通過する圧力損失ΔＰ２との間に、ΔＰ１＞ΔＰ２の関係がある。
【００１５】
すなわち、液相空間を液相の熱媒が通過する圧力損失ΔＰ２が、分子ふるい膜を液相の熱媒が通過する圧力損失ΔＰ１より小さいので、液相の熱媒を効率的に液相空間に通過させて熱交換部へ送ることができる。
【００１６】
第三の態様では、第一又は第二の態様において、前記熱交換部から前記相変化部へ前記熱媒を戻す第二流路を有する。
【００１７】
すなわち、第二流路によって熱媒を熱交換部から相変化部へ戻すことで、熱媒を相変化部と熱交換部との間で循環させることができ、熱媒を効率的に利用できる。
【００１８】
第四の態様では、第一〜第三のいずれか１つの態様において、前記熱媒が排出される熱媒排出部を有する。
【００１９】
たとえば、熱媒排出部から熱媒を排出することで、熱交換部において熱媒の量が過剰になることを抑制できる。
【００２０】
第五の態様では、第一〜第四のいずれか１つの態様において、前記熱媒を供給する熱媒供給部を有する。
【００２１】
たとえば、熱媒が相変化部の外へ排出ざれてしまった場合でも、熱媒供給部から熱媒を供給することで、熱交換部において熱媒の量が不足することを抑制できる。
【００２２】
第六の態様では、第一〜第五のいずれか１つの態様において、前記熱交換部による前記熱交換が顕熱の交換である。
【００２３】
熱媒と熱交換対象との熱交換において、熱媒の相変化を伴わないので、熱交換器の構造の簡素化を図ることができる。
【００２４】
第七の態様では、第一〜第六のいずれか１つの態様において、前記気相空間と接続され気相の前記熱媒の吸着又は脱着を行う反応器を有する。
【００２５】
したがって、たとえば相変化部で熱媒を気化する場合に、蒸気圧の低い熱媒であっても、反応器において熱媒の吸着を行う構成とすれば、効率的に熱媒を気化することができる。
【００２６】
相変化部で熱媒を液化する場合でも、反応器において熱媒の脱着を行う構成とすれば、熱媒を効率的に液化することができる。そして、相変化部として必要な容積も少ない。
【００２７】
第八の態様では、第一〜第七のいずれか１つの熱交換器と、前記気相空間と接続され気相の前記熱媒を蓄熱材に反応させて蓄熱する蓄熱器と、を有する。
【００２８】
この蓄熱システムでは、第一の態様の熱交換器を有するので、また、蓄熱器の蓄熱材に気相の熱媒を反応させることで、蓄熱器において蓄熱するので、この熱を他の部材に供給できる。
【発明の効果】
【００２９】
本発明では、熱交換の効率を高めると共に、熱媒の凍結を抑制することができる。
【図面の簡単な説明】
【００３０】
【図１】図１は第一実施形態の熱交換器（蓄熱システム）を示す構成図である。
【発明を実施するための形態】
【００３１】
図１には、第一実施形態の熱交換器１２と、この熱交換器１２を備えた蓄熱システム１４が示されている。この熱交換器１２は、相変化部１６及び顕熱交換部１８を有する。相変化部１６と顕熱交換部１８とは、第一流路２２及び第二流路２４により、液密に接続されている。第一流路２２により、相変化部１６から液相の熱媒が顕熱交換部１８に流れる。また、第二流路２４により、顕熱交換部１８から液相の熱媒が相変化部１６に流れる。換言すれば、相変化部１６と顕熱交換部１８の間で熱媒を循環させる循環流路２０が、第一流路２２及び第二流路２４によって構成されている。
【００３２】
相変化部１６は、内部が中空の容器状の部材である、相変化部１６の内部は、水平方向に延在する分子ふるい膜２６によって、上側の気相空間３０と、下側の液相空間２８とに区画されている。そして、第一流路２２及び第二流路２４は、液相空間において相変化部１６の壁面に接続されている。液相空間２８の熱媒（液相）が第一流路２２から流出し、第二流路２４から、熱媒（液相）が液相空間２８に流入する。
【００３３】
本実施形態において、熱媒は、複数の成分を有する媒体であり、成分それぞれによって凝固点温度が異なっている。熱媒の凝固点は、この熱交換器１２が作動する通常の温度領域よりも低い。
【００３４】
このような熱媒の一例としては、エタノール水溶液を挙げることができる。エタノール水溶液の成分の一つである水の凝固点が約０℃であるのに対し、他方の成分であるエタノールの凝固点は約−１１４．３℃である。そして、エタノール分子のほうが水分子よりも粒径が大きい。
【００３５】
熱媒は、相変化部１６の液相空間２８において液相の状態で存在し、特定の条件（圧力、温度）において、その一部である水の分子が、気相空間３０に蒸発（気化）する。換言すれば、相変化部１６の液相空間２８に流入した液相の熱媒と、気相空間３０に存在している気相の熱媒とで圧力差が生じている。液相の熱媒温度における飽和蒸気圧Ｘ１に対し、気相の熱媒の圧力(気相圧力Ｘ２とする）は、低い状態又は高い状態である。
【００３６】
この飽和蒸気圧Ｘ１が気相圧力Ｘ２よりも高い状態では、液相の熱媒の一部が気化し、気化熱により液相の熱媒の温度が低下する。これに対し、気相圧力Ｘ２が飽和蒸気圧Ｘ１と等しい状態から、わずかに気相圧力Ｘ２が高くなると、気相の熱媒の一部が液化し、凝縮熱により液相の熱媒の温度が上昇する。
【００３７】
このような条件を満たせば、熱媒は上記したエタノール水溶液に限定されない。たとえば、エタノール以外のアルコールの水溶液や、アンモニアの水溶液等を挙げることができる。
【００３８】
分子ふるい膜２６は、水（凝固点の高い熱媒成分）の分子を通過させ、エタノール（凝固点の低い熱媒成分）の分子を通過させない微小な細孔を有する膜状の部材である。換言すれば、分子ふるい膜２６は、複数成分を有する熱媒に対し、相変化、具体的には液相と気相との変化を生じさせる成分を制御することができる。したがって、熱媒は、上記したように、相変化部１６の液相空間２８において液相の状態で存在し、特定の条件（圧力、温度）において、水の分子が気相空間３０に蒸発（気化）するが、エタノールの分子は蒸発せず、液相を維持する状態が実現される。そして、分子ふるい膜２６よりも下側の液相空間２８と、上側の気相空間３０を分離できると共に、液相の熱媒の一部を効率的に気化させることができる。
【００３９】
顕熱交換部１８には、第二熱媒が流れる第二熱媒流路３２が接続されている。そして、顕熱交換部１８において、循環流路２０を流れる熱媒と、第二熱媒流路３２を流れる第二熱媒との間で、顕熱の交換がなされるようになっている。
【００４０】
蓄熱システム１４は、吸着器３６を有する。吸着器３６は、接続流路３４を介して、相変化部１６の気相空間３０に接続されている。本実施形態では、複数（２つ）の吸着器３６Ａ、３６Ｂが気相空間３０に対し並列に接続されており、交互に切り替えることで、吸着器３６全体としての連続運転が可能である。以下、吸着器３６Ａ、３６Ｂを区別しないときは、吸着器３６として説明する。
【００４１】
接続流路３４には、開閉弁３８Ａ、３８Ｂが設けられている、開閉弁３８Ａ、３８Ｂの開弁状態では、相変化部１６の気相空間３０と吸着器３６との間で熱媒（気相）の移動が可能である。開閉弁３８Ａ、３８Ｂの閉弁状態では、相変化部１６の気相空間３０と吸着器３６との間で熱媒の移動が阻止される。
【００４２】
吸着器３６には吸着剤が収容されており、相変化部１６において気相となった熱媒（本実施形態では水蒸気）を吸着する作用を有する。また、吸着剤に吸着された熱媒を、特定の条件化で脱着する作用を有する。なお、吸着器３６において気相の熱媒を吸着することで発熱し、蓄熱する作用も有する。すなわち、本実施形態では、吸着器３６は、蓄熱器としても機能している。
【００４３】
吸着器３６のそれぞれには、接続流路４０を介して、凝縮器４２が接続されている。本実施形態では、２つの吸着器３６Ａ、３６Ｂに対し、１つの凝縮器４２が共通で設けられている。
【００４４】
接続流路４０には、開閉弁４４Ａ、４４Ｂが設けられている。開閉弁４４Ａ、４４Ｂの開弁状態では、対応する吸着器３６Ａ、３６Ｂと凝縮器４２との間で熱媒の移動が可能である。開閉弁４４Ａ、４４Ｂの閉弁状態では、対応する吸着器３６Ａ、３６Ｂと凝縮器４２との間で熱媒の移動が阻止される。凝縮器４２の内部では、吸着器３６から流入した気相の熱媒からエネルギーを奪うことで、熱媒を凝縮（液化）する。
【００４５】
凝縮器４２と、第二流路２４の中間部分（接続部４６）とは、戻し流路４８により接続されている。戻し流路４８の途中には、熱媒容器５０が設けられている。凝縮器４２で凝縮された液相の熱媒は、熱媒容器５０に一時的に貯留される。熱媒容器５０に貯留された熱媒は、第二流路２４に戻される。
【００４６】
第二流路２４には、接続部４６と相変化部１６の間の位置に、ポンプ５２が設けられている。ポンプ５２の駆動により、循環流路２０において液相の熱媒を矢印Ｆ１方向に流す（圧送する）ことができる。これにより、熱媒は、相変化部１６と顕熱交換部１８との間で循環流路２０内を循環する。
【００４７】
本実施形態では、相変化部１６の液相空間２８を冷媒が通過するときの圧力損失ΔＰ２と、分子ふるい膜２６を液相の熱媒が通過するときの圧力損失ΔＰ１との間に、ΔＰ１＞ΔＰ２の関係が成立している。
【００４８】
次に、本実施形態の作用を説明する。
【００４９】
ポンプ５２の駆動により、液相の熱媒が循環流路２０を矢印Ｆ１方向に循環する。そして、熱媒は、相変化部１６の液相空間２８に送られる。
【００５０】
２つの開閉弁３８Ａ、３８Ｂのいずれか一方が開弁された状態では、吸着器３６によって気相の熱媒を吸着することで、相変化部１６の気相空間３０の圧力低下を生じさせることが可能である。相変化部１６は、液相空間の熱媒（液相）のうち、水の分子を通過させ、エタノールの分子を通過させない分子ふるい膜２６を有する。したがって、熱媒の水成分が気化して（水蒸気として）分子ふるい膜２６を通過し、気相空間３０に至る。そして、この水蒸気は、接続流路３４から吸着器３６に移動して吸着される。吸着器３６では、寄贈の熱媒が吸着されることで、発熱し、蓄熱される。
【００５１】
相変化部１６では、液相空間２８の熱媒の水成分が気化することによる潜熱で、エタノール成分が冷却される（温度低下する）。液相空間２８のエタノールは分子ふるい膜２６を通過しないため、液相のままで液相空間２８に存在する状態を維持する。
【００５２】
そして、液相空間２８において冷却された液相の熱媒が、第一流路２２を通って顕熱交換部１８に移動する。顕熱交換部１８では、循環流路２０を流れる熱媒と、第二熱媒流路３２を流れる第二熱媒との間で、顕熱の交換がなされる。すなわち、冷却された熱媒により、第二熱媒を冷却することができる。
【００５３】
上記とは逆に、吸着器３６に吸着された熱媒の水成分を脱着させて、相変化部１６の気相空間３０に送ることで、気相空間３０の熱媒（水蒸気）を凝縮させることが可能である。水蒸気は分子ふるい膜２６を通過し、液相空間２８において液化されるので、液相空間２８の熱媒（エタノール水溶液）が加熱される。したがって、加熱された熱媒を顕熱交換部１８に送ることで、顕熱交換部１８において、第二熱媒を加熱することが可能である。
【００５４】
上記説明から分かるように、本実施形態の熱交換器１２では、相変化を生じる媒体と、この相変化で生じた熱（冷熱又は温熱）を、熱交換対象である第二熱媒との間で熱交換する部材とが、熱媒として共通化されている。本実施形態の熱交換器１２では、実質的な熱交換は、熱媒と第二熱媒との間の１回のみであるので、複数回の熱交換を行う構成と比較して、熱交換の効率が高い。
【００５５】
そして、熱交換器１２では、熱媒が複数成分（上記実施形態では、エタノールと水）を有しており、実質的な凝固点が、単一成分の熱媒と比較して低下している。したがって、単一成分の熱媒を用いた構成と比較して、熱媒の温度が低下した場合でも、熱媒の凝固を抑制することが可能である。
【００５６】
ここで、比較例として、熱媒が、他の相変化媒体との間で熱交換する構成を想定する。比較例の構成では、たとえば、相変化媒体を気化させ、この気化潜熱により熱媒を冷却することが可能である。
【００５７】
しかし、比較例の構成では、相変化媒体の気化により発生した蒸気を吸着器等に送る必要がある。相変化媒体の蒸気圧が低い場合には、蒸発器と吸着器とを近接配置する必要が生じ、これらの配置において制約が生じる。これに対し、本実施形態の熱交換器１２では、上記したように、相変化を生じる媒体自体が冷却または加熱される構成であり、相変化媒体の移動が不要である。相変化部１６と吸着器３６とを離間させて配置することも可能であり、配置の自由度が高い。
【００５８】
第一実施形態の熱交換器１２では、相変化部１６に設けた分子ふるい膜２６により、液相空間２８と気相空間３０とを分離している。すなわち、分子ふるい膜２６により、相変化部１６内で確実に気液分離できるので、ポンプ５２の駆動により、液相の熱媒を効率的に圧送することで、顕熱交換部１８での効率的な顕熱交換に寄与できる。
【００５９】
相変化部１６の液相空間２８を冷媒が通過するときの圧力損失ΔＰ２と分子ふるい膜２６を液相の熱媒が通過するときの圧力損失ΔＰ１との間には、ΔＰ１＞ΔＰ２の関係がある。したがって、液相空間２８において冷却された熱媒が不用意に気相空間３０に移動することを抑制でき、効率的に熱媒を顕熱交換部１８に圧送できる。
【００６０】
上記実施形態において、熱交換器１２は、顕熱交換部１８から相変化部１６へ熱媒を戻す第二流路２４を有する。したがって、顕熱交換部１８において顕熱交換に使用した熱媒を、相変化部１６に戻して再利用できる。
【００６１】
また、熱交換器１２の相変化部１６には、吸着器３６が接続されている。吸着器３６により熱媒（気相）を吸着することで、相変化部１６の気相空間３０の圧力を低下させることができる。この場合、吸着器３６は、熱媒排出部として作用する。すなわち、気相空間３０からの熱媒を排出することで、相変化部１６での熱媒の気化を促進できる。
【００６２】
これとは逆に、吸着器３６側から熱媒を相変化部１６に供給する場合には、相変化部１６の気相空間３０の圧力を上昇させることができる。この場合、吸着器３６は、熱媒供給源として作用する。すなわち、気相空間３０に熱媒を供給することで、相変化部１６での熱媒の液化を促進できる。
【００６３】
なお、相変化部１６の気相空間３０の圧力を低下させるためには、吸着器３６以外の構成を用いることも可能である。たとえば、ポンプにより気相空間３０を減圧する構成でもよい。ポンプを用いる構成と比較すると、低いエネルギーで気相空間３０を減圧できる。また、吸着器３６は、気相の熱媒の吸着や脱着を行う反応器でもある。すなわち、熱媒の吸着や脱着を効果的に用いて、気相空間３０での熱媒の気化や液化を生じさせることが可能な構成であると言える。
【００６４】
吸着器３６は、相変化部１６からの熱媒が排出される熱媒排出部であり、また、相変化部１６に熱媒を供給する熱媒供給部でもある。このように、相変化部１６からの熱媒の排出や、相変化部１６への熱媒の供給を行うことで、顕熱交換部１８において、熱媒の量を適切に調整でき、熱媒の量の過剰や不足を抑制できる。
【００６５】
上記実施形態の熱交換器１２では、吸着器３６で吸着した熱媒の一部の成分（水蒸気）を凝縮器４２で凝縮（液化）し、戻し流路４８により相変化部１６に戻すことができる。熱媒の一部を循環させて繰り返し使用できるので、相変化部１６において効率的に熱媒の相変化を生じさせることができる。
【００６６】
吸着器３６は、内部に蓄熱材が収容され、この蓄熱材への熱媒の吸着により、発熱する構成のものを使用することも可能である。この場合に、吸着器３６では、発生した熱を蓄熱する蓄熱器として作用する。そして、吸着器３６（蓄熱器）の熱を他の部材に作用させることが可能である。蓄熱材の一例としては、酸化カルシウム（ＣａＯ）の成形体を挙げることができる。たとえば、酸化カルシウムの粉体を粘土鉱物等のバインダと混練して焼成し、吸着器３６の容器内に嵌り込むように円筒状に形成すればよい。蓄熱材は、水和に伴って放熱（発熱）し、脱水に伴って蓄熱（吸熱）するものであり、以下に示す化学反応の結果、放熱、蓄熱を可逆的に繰り返し得る構成とされている。
【００６７】
発熱量Ｑ又は蓄熱量Ｑを用いた化学反応式を示すと、
式１：ＣａＯ  ＋  Ｈ２Ｏ  →  Ｃａ（ＯＨ）２  ＋  Ｑ
式２：Ｃａ（ＯＨ）２  ＋  Ｑ  →  ＣａＯ  ＋  Ｈ２Ｏ
である。
【００６８】
式１は蓄熱材が水和に伴って発熱量Ｑに相当する熱を放熱する化学反応を示し、式２は水酸化カルシウムの脱水に伴って蓄熱量Ｑに相当する熱を蓄熱する化学反応を示す。なお、本実施形態の蓄熱材の単位質量当たりの蓄熱容量は、一例として１．８６［ＭＪ／ｋｇ］である。
【符号の説明】
【００６９】
１２  熱交換器
１４  蓄熱システム
１６  相変化部
１８  顕熱交換部（熱交換部の一例）
２０  循環流路
２２  第一流路（循環流路）
２４  第二流路（循環流路）
２４  第二流路
２６  分子ふるい膜
２８  液相空間
３０  気相空間
３２  第二熱媒流路
３６  吸着器（熱媒排出部、熱媒供給部）
【図１】
0006716944.tif 000002